(57)【要約】【課題】各種のホースが乱雑に放置されて散乱している作業現場において、これらのホースを種類別に一纏めにして発電機に掛けておくことができるようにすることで、作業の安全性の向上と作業効率の向上を実現した発電機用のホースフック装置を提供する。【解決手段】本発明は、発電機の上面に存在する吊持用のベルト取付部を利用して発電機に取り付けられる発電機用のホースフック装置であって、略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されている。【選択図】図２
2010104147.tif 000002
【特許請求の範囲】
【請求項１】
発電機の上面に存在する吊持用のベルト取付部を利用して発電機に取り付けられる発電機用のホースフック装置であって、略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されていることを特徴とする発電機用のホースフック装置。
【請求項２】
発電機の上面に存在する吊持用のベルト取付部は、所定の長さを有する凹部と、この凹部の上部に設けた前後一対のベルト掛架部を備え、ホースフック装置の第２水平掛架部を後側のベルト掛架部の裏面に当接させ、第１水平掛架部を前側のベルト掛架部の表面に載置し、フック部を発電機の側面に沿って配置している請求項１に記載の発電機用のホースフック装置。
【請求項３】
発電機の上面に存在する吊持用のベルト取付部を利用して発電機に取り付けられる発電機用のホースフック装置であって、略Ｕ字形のフック部とこのフック部の基端部に連設した水平掛架部により形成されているホースフック体と、水平掛架部とこの水平掛架部の基端部に連設した下向きの垂直掛架部から形成されている接続固定体と、から構成され、ホースフック体の水平掛架部と固定体の水平掛架部を、長さ調節可能に接合している発電機用のホースフック装置。
【請求項４】
発電機の上面に存在する吊持用のベルト取付部は、所定の長さを有する凹部と、この凹部の上部に設けた前後一対のベルト掛架部を備え、ホースフック装置を構成する接続固定体の垂直掛架部を発電機の一側面に沿って配置し、接続固定体とホースフック体の水平掛架部を後側・前側のベルト掛架部の表面に載置し、ホースフック体のフック部を発電機の他側面に沿って配置している請求項３に記載の発電機用のホースフック装置。
【請求項５】
ホースフック体のフック部を、マグネット部材を介して発電機の側面に固定している請求項２または４に記載の発電機用のホースフック装置。
【請求項６】
接続固定体の垂直掛架部を、マグネット部材を介して発電機の側面に固定している請求項４に記載の発電機用のホースフック装置。
【発明の詳細な説明】
【技術分野】
【０００１】
本発明は、現場作業用の発電機に使用される各種ホース類を、種類別に一纏めにして発電機に掛けておくことができるようにした、発電機用のホースフック装置に関するものである。
【背景技術】
【０００２】
近年において、海岸や山林等の狭小地で照明や水中ポンプ等の作業用機器電源を使用するに際し、長時間にわたる連続運転を行うことが多い工事現場では、本機の内部燃料タンクと別置き燃料タンクを切り替えて、電気設備技術基準による常時監視運転を行う必要がある。
【０００３】
このため、近年では、図１０に示すように、内部の燃料タンク容量を大型化することで、別置き燃料タンクを必要とせずに数日間の連続運転を可能とした、可搬型の極超低騒音ディーゼルエンジンによる発電機Ｐが使用されている。
【０００４】
この発電機Ｐは、図１０に示すように、矩形ボックス状に形成されており、その前側面における配電制御盤Ｑの箇所には、各種のホースＨが接続されている。
【０００５】
また、発電機Ｐを搬送する場合には、発電機Ｐの上面の四隅に取り付けられているアイボルトＩに紐材Ｓを結び付け、この紐材ＳをクレーンフックＦ等で吊り上げて、発電機Ｐを搬送している。
【０００６】
一方、複数の発電機Ｐを同時に稼働させたり、また、複数の発電機Ｐを保管したり収容する場合には、これらの複数の発電機Ｐを縦積み状に重ねておく必要がある。
【０００７】
このとき、図１０に示す発電機Ｐにおいては、発電機Ｐの上面の四隅に取り付けているアイボルトＩが障害となって、複数の発電機Ｐを縦積み状に重ねておくことができない事態が生じている。
【０００８】
そのため、図１１に示すように、アイボルトＩを使用せずに、発電機Ｐの上面に、吊持用のベルト取付部３を設けている。この吊持用のベルト取付部３は、例えば、発電機Ｐの上面を横断するように形成された凹部１と、この凹部１の上部に設けた一対のベルト掛架部２ａ，２ｂとからなる。
【０００９】
この凹部１における一対のベルト掛架部２ａ，２ｂの下にベルトＢを通し、このベルトＢをクレーンフックＦ等で吊り上げて、発電機Ｐを搬送しているのである。
【特許文献１】特になし
【発明の開示】
【発明が解決しようとする課題】
【００１０】
そして、従来においては、発電機Ｐを使用するに際し、図１１に示すように、発電機Ｐの配電制御盤Ｑの箇所に接続されている各種のホースＨが、発電機Ｐの周辺に乱雑に放置され、散乱していることから、足場が悪いものとなり、作業性が低下するという問題点を有していた。
【００１１】
そこで、本発明は如上のような従来存した諸事情に鑑み創出されたもので、各種のホースが乱雑に放置されて散乱している作業現場において、これらのホースを種類別に一纏めにして発電機に掛けておくことができるようにすることで、作業の安全性の向上と作業効率の向上を実現した発電機用のホースフック装置を提供することを目的とする。
【課題を解決するための手段】
【００１２】
本発明は、発電機の上面に存在する吊持用のベルト取付部を利用して発電機に取り付けられる発電機用のホースフック装置であって、略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されていることで、上述した課題を解決したものである。
【００１３】
また、発電機の上面に存在する吊持用のベルト取付部は、所定の長さを有する凹部と、この凹部の上部に設けた前後一対のベルト掛架部を備え、ホースフック装置の第２水平掛架部を後側のベルト掛架部の裏面に当接させ、第１水平掛架部を前側のベルト掛架部の表面に載置し、フック部を発電機の側面に沿って配置していることで、同じく上述した課題を解決した。
【００１４】
さらに、発電機の上面に存在する吊持用のベルト取付部を利用して発電機に取り付けられる発電機用のホースフック装置であって、略Ｕ字形のフック部とこのフック部の基端部に連設した水平掛架部により形成されているホースフック体と、水平掛架部とこの水平掛架部の基端部に連設した下向きの垂直掛架部から形成されている接続固定体と、から構成され、ホースフック体の水平掛架部と固定体の水平掛架部を、長さ調節可能に接合していることで、同じく上述した課題を解決した。
【００１５】
また、発電機の上面に存在する吊持用のベルト取付部は、所定の長さを有する凹部と、この凹部の上部に設けた前後一対のベルト掛架部を備え、ホースフック装置を構成する接続固定体の垂直掛架部を発電機の一側面に沿って配置し、接続固定体とホースフック体の水平掛架部を後側・前側のベルト掛架部の表面に載置し、ホースフック体のフック部を発電機の他側面に沿って配置していることで、同じく上述した課題を解決した。
【００１６】
この他、ホースフック体のフック部を、マグネット部材を介して発電機の側面に固定していることで、同じく上述した課題を解決した。
【００１７】
また、接続固定体の垂直掛架部を、マグネット部材を介して発電機の側面に固定していることで、同じく上述した課題を解決した。
【発明の効果】
【００１８】
本発明によれば、発電機の周辺に各種のホースが乱雑に放置されて散乱している作業現場において、これらのホースを種類別に一纏めにして発電機に掛けておくことができるようにすることで、作業の安全性の向上と作業効率の向上を実現している。
【００１９】
具体的には、ホースフック装置が、発電機の上面に存在する吊持用のベルト取付部を利用して発電機に取り付けられることから、種々の大きさの発電機に、ホースフック装置を簡単に取り付けることができる。
【００２０】
また、ホースフック装置は、略Ｕ字形のフック部と、このフック部の基端部に連設した第一水平掛架部と、第一水平掛架部の基端部に連設した下向きの垂直掛架部と、垂直掛架部の基端部に連設した第２水平掛架部から構成されていることから、発電機に取り付けたホースフック装置のフック部に、種類別のホースを一纏めにして発電機に掛けることができる
【００２１】
さらに、発電機の上面に存在する吊持用のベルト取付部は、所定の長さを有する凹部と、この凹部の上部に設けた複数のベルト掛架部を備え、ホースフック装置のホースフック装置の第２水平掛架部を後側のベルト掛架部の裏面に当接させ、第１水平掛架部を前側のベルト掛架部の表面に載置し、フック部を発電機の側面に沿って配置していることから、発電機の吊持用のベルト取付部に、ホースフック装置を安定した状態で取り付けることができる。
【００２２】
しかも、発電機の吊持用のベルト取付部へ、ホースフック装置を誰もが簡単に取り付けることができる。
【００２３】
また、発電機の上面に存在する吊持用のベルト取付部を利用して発電機に取り付けられる発電機用のホースフック装置であって、略Ｕ字形のフック部とこのフック部の基端部に連設した水平掛架部により形成されているホースフック体と、水平掛架部とこの水平掛架部の基端部に連設した下向きの垂直掛架部から形成されている接続固定体と、から構成され、ホースフック体の水平掛架部と固定体の水平掛架部を、長さ調節可能に接合していることから、発電機が備えている各種の幅員に対応して、ホースフック装置を発電機に簡単に取り付けることができる。
【００２４】
加えて、発電機の上面に存在する吊持用のベルト取付部は、所定の長さを有する凹部と、この凹部の上部に設けた前後一対のベルト掛架部を備え、ホースフック装置を構成する接続固定体の垂直掛架部を発電機の一側面に沿って配置し、接続固定体とホースフック体の水平掛架部を後側・前側のベルト掛架部の表面に載置し、ホースフック体のフック部を発電機の他側面に沿って配置していることから、発電機の吊持用のベルト取付部に、ホースフック装置を安定した状態で取り付けることができる。
【００２５】
しかも、ホースフック体の水平掛架部と固定体の水平掛架部を、長さ調節可能に接合していることから、発電機が備えている各種の幅員に対応して、ホースフック装置を発電機に簡単に取り付けることができる。
【００２６】
この他、ホースフック体のフック部を、マグネット部材を介して発電機の側面に固定していることから、発電機の吊持用のベルト取付部に、ホースフック装置を安定した状態で取り付けることができる。
【００２７】
また、ホースフック体におけるフック部の耐荷重性も向上し、長いホースであってもこれを一纏めにしてフック部に掛けることができる。
【００２８】
加えて、接続固定体の垂直掛架部を、マグネット部材を介して発電機の側面に固定しているので、発電機にホースフック装置を安定した状態で取り付けることができる。
【００２９】
さらに、発電機に吊持用のベルト取付部が存在しない場合であっても、発電機にホースフック装置を簡単に取り付けることができる。
【００３０】
しかも、ホースフック装置を構成するホースフック体と接続固定体により発電機の両側を挟み込むことから、発電機にホースフック装置をしっかりと取り付けることができる。
【発明を実施するための最良の形態】
【００３１】
以下に、本発明を実施するための最良の形態を、図面を参照して説明する。
【００３２】
本発明に係る発電機用のホースフック装置１０は、図１に示すように、１本の鋼棒を折曲して形成している。
【００３３】
具体的には、略Ｕ字形のフック部１１と、フック部１１の基端部に連設した第１水平掛架部１２と、第１水平掛架部１２の基端部に連設した下向きの垂直掛架部１３と、垂直掛架部１３の基端部に連設した第２水平掛架部１４から構成されている。
【００３４】
このホースフック装置１０は、可搬型の極超低騒音ディーゼルエンジンによる発電機Ｐの上面に存在する吊持用のベルト取付部３を利用して、発電機Ｐに取り付けられる。
【００３５】
また、吊持用のベルト取付部３は、例えば、発電機Ｐの上面を横断するように形成された凹部１と、この凹部１の上部に設けた前後一対のベルト掛架部２ａ，２ｂとからなる。
【００３６】
そして、図１・図２に示すように、ホースフック装置１０の第２水平掛架部１４を後側のベルト掛架部２ｂの裏面に当接させ、第１水平掛架部１２を前側のベルト掛架部２ａの表面に載置し、フック部１１を発電機Ｐの側面に沿って配置している。
【００３７】
このとき、第１水平掛架部１２は、発電機Ｐの側面からベルト掛架部２ａの内壁面までの長さを有し、垂直掛架部１３がこのベルト掛架部２ａの内壁面に当接した状態となっている。
【００３８】
そして、図１に示すように、ホースフック装置１０のフック部１１に、ホースＨを丸め込んで一纏めにした状態で掛けた際には、図２に示すように、フック部１１・第１水平掛架部１２に下向きの荷重が作用するが、この下向きの荷重を、第１水平掛架部１２を載置している前側のベルト掛架部２ａがしっかりと受け止めている。
【００３９】
同時に、第２水平掛架部１４に当接している後側のベルト掛架部２ｂの裏面が、第２水平掛架部１４に作用する上向きの荷重をしっかりと受け止め、ホースフック装置１０の傾きを防止している。
【００４０】
このようにして、ホースフック装置１０が発電機Ｐに安定した状態で取り付けられる。
【００４１】
尚、図３に示すように、発電機Ｐの吊持用のベルト取付部３に、２個のホースフック装置１０を取り付けても良い。
【００４２】
次に、別タイプのホースフック装置１０について説明する。
【００４３】
このホースフック装置１０は、図４に示すように、略Ｕ字形のフック部１１と、フック部１１の基端部に連設した第１水平掛架部１２と、第１水平掛架部１２の基端部に連設した下向きの垂直掛架部１３と、垂直掛架部１３の基端部に連設した第２水平掛架部１４から構成されている点では、上述したホースフック装置１０と同様である。
【００４４】
相違点は、第１水平掛架部１２が長く形成され、第２水平掛架部１４が短く形成されている点である。
【００４５】
この第１水平掛架部１２は、発電機Ｐの側面からベルト掛架部２ｂの内壁面までの長さを有している。
【００４６】
そして、図５に示すように、ホースフック装置１０の第２水平掛架部１４を後側のベルト掛架部２ｂの裏面に当接させ、第１水平掛架部１２を前側のベルト掛架部２ａの表面に載置し、フック部１１を発電機Ｐの側面に沿って配置したときに、垂直掛架部１３がベルト掛架部２ｂの内壁面に当接した状態となっている。
【００４７】
次に、発電機Ｐが備えている各種の幅員に対応して、長さ調節が可能であるホースフック装置１０について説明する。
【００４８】
このホースフック装置１０は、図６・図７に示すように、略Ｕ字形のフック部１５とこのフック部１５の基端部に連設した水平掛架部１６により形成されているホースフック体１７と、水平掛架部１８とこの水平掛架部１８の基端部に連設した下向きの垂直掛架部１９から形成されている接続固定体２０により構成されている。
【００４９】
そして、ホースフック体１７の水平掛架部１６と接続固定体２０の水平掛架部１８を、長さ調節可能に接合している。
【００５０】
具体的には、フック部１５と水平掛架部１６から成るホースフック体１７は、細長状の鋼板を折曲して形成している。
【００５１】
このホースフック体１７の水平掛架部１６には、図７に示すように、その上面に、連続歯２１を設けている。この連続歯２１は、一端が厚く、他端に至るに従い薄くなる楔状の歯２２を連設したものである。
【００５２】
これに対し、接続固定体２０の水平掛架部１８は、所定のレール状に形成され、このレール状部分の内側において、ホースフック体１７の水平掛架部１６がスライド移動するようになっている。
【００５３】
このレール状の水平掛架部１８は、図７に示すように、長方形状の底板片２３と、底板片２３の長手方向における両側を上方に向けて折曲した垂設片２４，２４と、両垂設片２４，２４の上部を内向きに折曲した水平片２５，２５により形成されている。そして、これらの底板片２３、垂設片２４，２４、水平片２５，２５の内側に、溝状の空間を形成している。
【００５４】
ホースフック体１７の水平掛架部１６は、接続固定体２０の水平掛架部１８に挿入されて長手方向に沿ってスライド移動するものであるが、具体的には、図７に示すように、水平掛架部１８における底板片２３、垂設片２４，２４、水平片２５，２５の内側に形成されている溝状の空間に、ホースフック体１７の水平掛架部１６を配置している。また、両水平片２５，２５の間に、ホースフック体１７における水平掛架部１６の連続歯２１を配置している。
【００５５】
さらに、接続固定体２０の水平掛架部１８には、２個の移動阻止体３０，３０が設置されている。
【００５６】
この移動阻止体３０，３０は、図７に示すように、両水平片２５，２５に立設状に設けた一対の支持脚部３１，３１と、支持脚部３１，３１の上部において軸支されているストッパー部３２により形成されている。
【００５７】
ストッパー部３２は、長方形の板状に形成され、先端部の下面に、ホースフック体１７における水平掛架部１６の連続歯２１に係合する係合片３３を設けている。このストッパー部３２は、先端部の係合片３３が上下方向に移動できるように支持脚部３１，３１の上部に軸支されている。
【００５８】
ホースフック装置１０を使用するときは、ホースフック体１７の水平掛架部１６を、接続固定体２０の水平掛架部１８に挿入する。このとき、接続固定体２０における移動阻止体３０，３０のストッパー部３２の先端部を、上方に持ち上げておく。
【００５９】
そして、ホースフック体１７と接続固定体２０から構成されるホースフック装置１０の長さを、発電機Ｐが備えている幅員に合うように調節した後、移動阻止体３０，３０のストッパー部３２の先端部を下方に降ろし、ストッパー部３２の係合片３３を水平掛架部１６の連続歯２１に係合させ、ホースフック装置１０の好ましい長さを維持させる。
【００６０】
このホースフック装置１０について、図６に示すように、接続固定体２０の垂直掛架部１９を発電機Ｐの一側面に沿って配置し、接続固定体２０の水平掛架部１８とホースフック体１７の水平掛架部１６との接合部分を、べルト掛架部２ａ，２ｂの表面に載置し、ホースフック体１７のフック部１５を発電機Ｐの他側面に沿って配置し、ホースフック装置１０を発電機Ｐに取り付けている。
【００６１】
このとき、図７に示すように、ホースフック体１７のフック部１５と、接続固定体２０の垂直掛架部１９を、マグネット部材Ｍ，Ｍを介して発電機Ｐの側面に固定すると、発電機Ｐに対して、ホースフック装置１０をより強固に取り付けることができる。
【００６２】
この他、図８・図９に示すように、発電機Ｐの上面にベルト取付部３（凹部１、ベルト掛架部２ａ，２ｂ）が存在しない場合であっても、接続固定体２０の垂直掛架部１９を発電機Ｐの一側面に沿って配置し、接続固定体２０の水平掛架部１８とホースフック体１７の水平掛架部１６との接合部分を発電機Ｐの上面に載置し、ホースフック体１７のフック部１５を発電機Ｐの他側面に沿って配置することで、ホースフック装置１０を発電機Ｐに取り付けることができる。
【産業上の利用可能性】
【００６３】
本発明に係る発電機用のホースフック装置は、発電所施設における照明や水中ポンプ等の作業用機器電源として使用したり、土木・建築工事現場等の仮設電源として使用する発電機において、各種ホース類を種類別に一纏めにして発電機に掛けておくことができる発電機用のホースフック装置として、幅広く利用することができる。
【図面の簡単な説明】
【００６４】
【図１】略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されているホースフック装置を、発電機の上面に存在する吊持用のベルト取付部を利用して発電機に取り付ける状態を示す分解斜視図である。
【図２】略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されているホースフック装置を、発電機の上面に存在する吊持用のベルト取付部を利用して発電機に取り付けている状態（垂直掛架部が前側のベルト掛架部の内壁面に当接している）を示す断面図である。
【図３】複数のホースフック装置を、発電機の上面に存在する吊持用のベルト取付部を利用して発電機に取り付けている状態を示す斜視図である。
【図４】略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されているホースフック装置を、発電機の上面に存在する吊持用のベルト取付部を利用して発電機に取り付ける状態を示す分解斜視図である。
【図５】略Ｕ字形のフック部と、フック部の基端部に連設した第１水平掛架部と、第１水平掛架部の基端部に連設した下向きの垂直掛架部と、垂直掛架部の基端部に連設した第２水平掛架部から構成されているホースフック装置を、発電機の上面に存在する吊持用のベルト取付部を利用して発電機に取り付けている状態（垂直掛架部が後側のベルト掛架部の内壁面に当接している）を示す断面図である。
【図６】ホースフック体と接続固定体を長さ調節可能に接合しているホースフック装置を、発電機の上面に存在する吊持用のベルト取付部を利用して発電機に取り付けている状態を示す斜視図である。
【図７】ホースフック体と接続固定体を長さ調節可能に接合しているホースフック装置を、発電機の上面に存在する吊持用のベルト取付部を利用して発電機に取り付けている状態を示す一部拡大の断面図である。
【図８】ホースフック体と接続固定体を長さ調節可能に接合しているホースフック装置を、発電機の上面に吊持用のベルト取付部が存在しない発電機に取り付けている状態を示す斜視図である。
【図９】ホースフック体と接続固定体を長さ調節可能に接合しているホースフック装置を、発電機の上面に吊持用のベルト取付部が存在しない発電機に取り付けている状態を示す断面図である。
【図１０】発電機の上面の四隅に取り付けられているアイボルトに紐材を結び付け、この紐材をクレーンフック等で吊り上げて、発電機を搬送する状態を示す斜視図である。
【図１１】発電機の上面に吊持用のベルト取付部を設け、このベルト取付部にベルトを通し、ベルトをクレーンフック等で吊り上げて発電機を搬送する状態を示す斜視図である。
【符号の説明】
【００６５】
Ｂ…ベルト
Ｐ…発電機
Ｑ…配電制御盤
Ｈ…ホース
Ｉ…アイボルト
Ｓ…紐材
Ｆ…クレーンフック
Ｍ…マグネット部材
１…凹部
２ａ…ベルト掛架部
２ｂ…ベルト掛架部
３…ベルト取付部
１０…ホースフック装置
１１…フック部
１２…第１水平掛架部
１３…垂直掛架部
１４…第２水平掛架部
１５…フック部
１６…水平掛架部
１７…ホースフック体
１８…水平掛架部
１９…垂直掛架部
２０…接続固定体
２１…連続歯
２２…歯
２３…底板片
２４…垂設片
２５…水平片
３０…移動阻止体
３１…支持脚部
３２…ストッパー部
３３…係合片
【図１】
2010104147.tif 000003
【図２】
2010104147.tif 000004
【図３】
2010104147.tif 000005
【図４】
2010104147.tif 000006
【図５】
2010104147.tif 000007
【図６】
2010104147.tif 000008
【図７】
2010104147.tif 000009
【図８】
2010104147.tif 000010
【図９】
2010104147.tif 000011
【図１０】
2010104147.tif 000012
【図１１】
2010104147.tif 000013